(57)【要約】【課題】輸送時の振動があっても、擦れが生ぜず、果実の損傷を低減できる果実収納用緩衝具を提供する。【解決手段】果実収納用緩衝具１は、縦２４ｃｍ、横１６ｃｍ、厚さ１ｃｍの柔軟性を有するシート状の軟質の発泡性合成樹脂シート２から成り、この発泡性合成樹脂シート２に、水滴形状の複数個の貫通孔３が穿けられている。使用に際しては、貫通孔３上にこの貫通孔３の大きさよりも大きな果実、例えばイチゴＳを載置する。この貫通孔３の大きさは載置するイチゴＳの外形の５０〜８０％程度の大きさが好適である。これにより、イチゴＳは発泡性合成樹脂シート２の貫通孔３のエッジ３ａにより線接触によって柔らかく保持され、輸送時に発生する振動等を受けても、その振動は発泡性合成樹脂シート２により吸収されてイチゴＳの動きは少なく、発泡性合成樹脂シート２との接触面積も小さいので、擦れによる傷の発生を防止できる。【選択図】図５
2014012555.tif 000002
【特許請求の範囲】
【請求項１】
シート状の軟質の発泡性合成樹脂材に、果実をそのエッジで保持するための曲線で形成した複数個の貫通孔を穿けたことを特徴とする果実収納用緩衝具。
【請求項２】
前記貫通孔の周囲に上方から見て小波状のギザギザ部を設けたことを特徴とする請求項１に記載の果実収納用緩衝具。
【請求項３】
前記貫通孔は前記果実の大きさよりも小さくしたことを特徴とする請求項１又は２に記載の果実収納用緩衝具。
【請求項４】
前記貫通孔の形状は前記果実の形状に応じて形成したことを特徴とする請求項１〜３の何れか１つの請求項に記載の果実収納用緩衝具。
【請求項５】
前記貫通孔の左右対称の中心線は、前記発泡性合成樹脂材の辺部に対して斜め方向としたことを特徴とする請求項１〜４の何れか１つの請求項に記載の果実収納用緩衝具。
【請求項６】
曲線で形成した複数個の貫通孔を穿けた複数枚のシート状の軟質の発泡性合成樹脂材から成る果実収納用緩衝具により、複数個の果実を下方、上方から挟み、前記貫通孔のエッジにより前記果実をそれぞれ保持することを特徴とする果実収納用緩衝具を用いた果実の収納方法。
【発明の詳細な説明】
【技術分野】
【０００１】
本発明は、イチゴのように表面が柔らかく、傷み易い果実の輸送、流通時に生ずる損傷を低減するための果実収納用緩衝具及び該緩衝具を用いた果実の収納方法に関するものである。
【背景技術】
【０００２】
通常、例えば市場等にイチゴを出荷する際には、ＰＥＴ等から成る透明な合成樹脂製の容器内に、イチゴを数段に重ねてパック詰めしたものを、段ボール箱等に入れて搬送している。
【０００３】
また、ケーキ店等に納入される業務用イチゴ、或いは贈答用等の高級品イチゴは、厚さ１〜２ｍｍ程度のポリエスチレンペーパー等から成る発泡樹脂製シートのトレイに、１０〜４０個程度の凹部を成形し、この凹部にイチゴを１個ずつ収納したものを段ボール箱等に入れて出荷している。
【０００４】
また、特許文献１においては、柔軟な発泡合成樹脂シートから成る緩衝用容器と、保形性を有する支持容器とから成る果実包装用容器が開示されている。
【先行技術文献】
【特許文献】
【０００５】
【特許文献１】特開２０１０−６４７６１号公報
【発明の概要】
【発明が解決しようとする課題】
【０００６】
しかし、ＰＥＴ等から成る従来の容器内にイチゴを積層すると、イチゴ同士が接触することから、輸送、流通時にイチゴの表面に損傷を与えてしまい、商品価値を低下させてしまうことがある。特に夏場においては、表面の損傷から傷みが進み易く、商品価値が大幅に低下する。
【０００７】
また、柔軟性を有する発泡樹脂製シートのトレイの凹部に、イチゴを１個ずつ収納する場合でも、輸送、流通時にはトレイの個々の凹部内においてイチゴが動き、イチゴの表面がトレイの凹部に擦れるため、イチゴの表面に損傷が生ずることは避けられない。
【０００８】
また、特許文献１の果実包装用容器を用いても、従来の包装容器と比較すると、果実に与える損傷を低減する効果はあるものの、発泡樹脂製トレイの凹部に果実を載置しているため、輸送、流通時の振動等により、果実がトレイの凹部内で擦れることは防止できず、根本的な解決とはならない。
【０００９】
本発明の目的は、上述の問題点を解消し、輸送、流通時における振動があっても、果実に容器との擦れが生ぜず、果実の損傷を大幅に低減することのできる果実収納用緩衝具及び該緩衝具を用いた果実の収納方法を提供することにある。
【課題を解決するための手段】
【００１０】
上記目的を達成するための本発明に係る果実収納用緩衝具は、シート状の軟質の発泡性合成樹脂材に、果実をそのエッジで保持するための曲線で形成した複数個の貫通孔を穿けたことを特徴とする。
【００１１】
また、本発明に係る果実収納用緩衝具を用いた収納方法は、曲線で形成した複数個の貫通孔を穿けた複数枚のシート状の軟質の発泡性合成樹脂材から成る果実収納用緩衝具により、複数個の果実を下方、上方から挟み、前記貫通孔のエッジにより前記果実をそれぞれ保持することを特徴とする。
【発明の効果】
【００１２】
本発明に係る果実収納用緩衝具及び該緩衝具を用いた果実の収納方法によれば、輸送時に振動が加わっても、軟質の発泡性合成樹脂材が果実に擦傷を与えることはなく、従来の果実用パックやトレイを用いた場合と比較すると、輸送時の果実の損傷を大幅に軽減することができる。
【図面の簡単な説明】
【００１３】
【図１】実施例１の果実収納用緩衝具の斜視図である。
【図２】平面図である。
【図３】図２のＡ−Ａ線に沿った断面図である。
【図４】果実収納用緩衝具の上にイチゴを載置した状態の拡大断面図である。
【図５】果実収納用緩衝具の上にイチゴを載置した状態の斜視図である。
【図６】実施例２の果実収納用緩衝具の平面図である。
【図７】実施例３の上下２枚の果実収納用緩衝具によりイチゴを保持した状態の斜視図である。
【発明を実施するための形態】
【００１４】
本発明を図示の実施例に基づいて詳細に説明する。
【実施例１】
【００１５】
図１は実施例における例えばイチゴ用の果実収納用緩衝具１の斜視図、図２は平面図、図３は図２のＡ−Ａ線に沿った断面図である。この果実収納用緩衝具１は例えば縦２４ｃｍ、横１６ｃｍ、厚さ１ｃｍの柔軟性を有するシート状の例えば軟質ポリウレタン発泡材（ＰＵＦ）から成る発泡性合成樹脂シート２から成り、この発泡性合成樹脂シート２に、イチゴの外形と近似した水滴形状の複数個の貫通孔３が穿けられている。
【００１６】
軟質ポリウレタン発泡材は開放状態の気泡を有し、圧縮に対し極めて柔軟で、また良好な復元性を有している。
【００１７】
本実施例においては、発泡性合成樹脂シート２に軟質ポリウレタン発泡材を用いているが、軟質ポリウレタン発泡材以外にも、ポリエチレンフォーム等の各種の柔軟で弾力性を有する発泡性合成樹脂材を用いることもできる。
【００１８】
また、貫通孔３の個数は図１に示すように縦４列、横６列の計２４個が標準的であるが、縦４列、横５列の計２０個、縦５列、横６列の計３０個を用いてもよく、貫通孔３の大きさもイチゴのサイズに合わせて適宜に変更してもよい。
【００１９】
本発泡性合成樹脂シート２は輸送、流通後も繰り返して使用することができ、本発泡性合成樹脂シート２の色は、黒又は濃い灰色が望ましい。繰り返し使用時に、黒又は濃い灰色を用いることで紫外線等劣化による変色が目立たなくなり、更に赤いイチゴと組合わせた場合に、イチゴの色が映えるという効果もある。
【００２０】
また、図２に示すように水滴形状の貫通孔３の形状の左右対称の中心線Ｃは、矩形状の発泡性合成樹脂シート２の辺部に対して、斜め方向に向けられている。水滴形状の貫通孔３の尖った先端部３ｂがイチゴの先端となるようにイチゴを載置することにより、所定の面積の発泡性合成樹脂シート２に効率良くイチゴを配置することができる。
【００２１】
貫通孔３の形状は、水滴形状、楕円を含む略円形であってもよく、貫通孔３上のエッジ３ａは、貫通孔の形状と一致し滑らかな曲線から形成される。イチゴ以外のビワ等を収納する際には、貫通孔３の形状は卵型形状とするなど、果実の種類、形状に合わせることが好ましい。
【００２２】
使用に際しては、図４、図５に示すように貫通孔３上のエッジ３ａにこの貫通孔３の大きさよりも大きなイチゴＳを載置する。この貫通孔３の大きさは載置するイチゴＳの外形の５０〜８０％程度の大きさが好適である。たとえ、イチゴＳの大きさに多少のばらつきがあったとしても、貫通孔３により各イチゴＳは互いに接触することなく保持される。イチゴＳは貫通孔３のエッジ３ａによる線接触によって柔らかく保持され、輸送時に発生する振動等を受けても、その振動は発泡性合成樹脂シート２により吸収されてイチゴＳに加わる振動は少ない。また、イチゴＳの発泡性合成樹脂シート２との接触面積も小さいので擦れによる傷の発生を防止できる。
【実施例２】
【００２３】
図６は実施例２の果実収納用緩衝具１’の平面図であり、水滴状の複数個の貫通孔３’が形成されていることは実施例１と同様である。貫通孔３’の周囲の辺部は上方から見て小波状にギザギザに形成されている。この形状によりイチゴＳに対する摩擦力が増加し、保持力が大きくなる。
また、実施例１の果実収納用緩衝具１では、繰り返して使用中にエッジ３ａに傷が生ずると目立ち、廃棄せざるを得ないが、実施例２ではエッジ３ａに生じた傷はギザギザ部と区別し難くなる利点もある。
【実施例３】
【００２４】
実施例１、２で説明したように、果実収納用緩衝具１である発泡性合成樹脂シート２の上にイチゴＳを載置することにより出荷することもできるが、更に確実にイチゴＳに発生する傷を防止するには、上段、下段の２枚の発泡性合成樹脂シート２から成る果実収納用緩衝具１を使用することが好ましい。
【００２５】
即ち、図７に示すように発泡性合成樹脂シート２上に載置したイチゴＳの上に、更に同形状の発泡性合成樹脂シート２を被着する。
【００２６】
上段の発泡性合成樹脂シート２の貫通孔３の下側のエッジ３ａと、下段の発泡性合成樹脂シート２の上側のエッジ３ａによりイチゴＳは保持されることになり、１段の発泡性合成樹脂シート２のみで保持するよりも、イチゴＳの損傷を防止し安定して輸送することができる。
【００２７】
更に、上段の発泡性合成樹脂シート２の厚さを調整して、上段の発泡性合成樹脂シート２の上側のエッジ３ａに更にイチゴＳを載置し、その上に更に発泡性合成樹脂シート２を被着してもよい。この場合に、上段、中段、下段の発泡性合成樹脂シート２を用いて、２段分のイチゴＳを保持することになる。
【００２８】
出荷に際しては、上述のように複数枚の発泡性合成樹脂シート２により上方、下方から挟まれた状態のイチゴＳを、段ボール箱、化粧箱、木箱等に入れて出荷することができる。これにより、輸送時に振動が加わっても、その振動は複数枚の発泡性合成樹脂シート２により吸収され、イチゴＳには振動が直接伝達することは殆どないので、傷の発生は極めて少ない。
【産業上の利用可能性】
【００２９】
本発明はイチゴ以外にも、表面が柔らかく傷み易いビワ、イチジク、桃、サクランボ、マンゴー、トマトのような果実の収納にも適用することができる。また、この場合には貫通孔３ａの形状は適用する果実の種類に適した形状、大きさに合わせればよい。
【符号の説明】
【００３０】
１  果実収納用緩衝具
２、２’  発泡性合成樹脂シート
３、３’  貫通孔
３ａ、３ａ’  エッジ
３ｂ、３ｂ’  先端部
Ｓ  イチゴ
【図１】
2014012555.tif 000003
【図２】
2014012555.tif 000004
【図３】
2014012555.tif 000005
【図４】
2014012555.tif 000006
【図５】
2014012555.tif 000007
【図６】
2014012555.tif 000008
【図７】
2014012555.tif 000009